(57)【要約】【課題】  大入賞口の前面を流下する遊技球に効率よく挙動を付与することができる遊技機を提供する。【解決手段】  可変入賞装置３２の開口部である大入賞口４０６を閉塞する開閉扉４００に形成された切り欠き４１０を通して、大入賞口４０６の内壁上部から立設された角柱４１２に屈曲した釘４１３を植設する。開閉扉４００が開閉作動するときに、切り欠き４１０の部分を釘４１３が通り抜ける。つまり、屈曲した釘４１３は、開閉扉４００の開放作動に関わらず、常に開閉扉４００から突き出た状態にある。【選択図】        図７
2006314592.tif 000002
【特許請求の範囲】
【請求項１】
遊技球が打ち込まれる遊技領域を有する遊技盤を備えた遊技機において、
非作動時には開口を閉塞し、作動時には開閉動作を行ない、遊技領域に打ち込まれた遊技球を開口に入球させることのできる板状の開閉扉を設けた入賞手段と、
前記開閉扉の非作動時に前記入賞手段の前面を流下する遊技球に挙動を付与するとともに、開閉扉の作動時に開閉扉の開閉作動を許容しながら入賞手段の前面を流下する遊技球に挙動を付与するように開閉扉から分離されている挙動付与手段と、
を備えたことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、遊技盤面の遊技領域内に配備された始動口に遊技球が入球（入賞）し、所定条件が成立して大当たりとなった場合に、幅広の開閉扉を開放して遊技領域に連続的に打ち込まれる複数個の遊技球を同時に入球（入賞）させることのできる大入賞口（可変入賞装置）を備えている。（例えば、特許文献１参照）。
【特許文献１】特開平９−７００号公報（第４頁，図１）
【発明の開示】
【発明が解決しようとする課題】
【０００３】
しかしながら、従来のパチンコ機は、次のような問題がある。
すなわち、従来のパチンコ機における大入賞口の前側には開閉扉を開閉作動させるために、開閉作動を妨げることなく、その領域を流下する遊技球に挙動を付与させるための釘などの挙動付与部材を配備することができないといった問題ある。
【０００４】
また、遊技球の挙動が制限される領域が存在することにより、遊技の面白みを低下させるといった問題もある。
【０００５】
本発明は、このような事情に鑑みてなされたものであって、入賞手段の前面を流下する遊技球に挙動を付与させることができ、面白みを持続または向上させることのできる遊技機を提供することを主たる目的とする。
【課題を解決するための手段】
【０００６】
この発明は、このような目的を達成するために、次のような構成をとる。
すなわち、請求項１に記載の発明は、
遊技球が打ち込まれる遊技領域を有する遊技盤を備えた遊技機において、
非作動時には開口を閉塞し、作動時には開閉動作を行ない、遊技領域に打ち込まれた遊技球を開口に入球させることのできる板状の開閉扉を設けた入賞手段と、
前記開閉扉の非作動時に前記入賞手段の前面を流下する遊技球に挙動を付与するとともに、開閉扉の作動時に開閉扉の開閉作動を許容しながら入賞手段の前面を流下する遊技球に挙動を付与するように開閉扉から分離されている挙動付与手段と、
を備えたことを特徴とするものである。
【０００７】
［作用・効果］請求項１に記載の発明によれば、入賞手段は、非作動時には開口を閉塞し、作動時には開閉動作を行ない、遊技領域に打ち込まれた遊技球を開口に入球させることのできる板状の開閉扉を設けられている。挙動付与手段は、開閉扉の非作動時に入賞手段の前面を流下する遊技球に挙動を付与するとともに、開閉扉の作動時に開閉扉の開閉作動を許容しながら入賞手段の前面を流下する遊技球に挙動を付与するように開閉扉から分離されている。
【０００８】
この構成によれば、挙動付与手段は、開閉扉の開閉作動を許容する。換言すれば開閉扉の開閉作動を妨げることなく分離されているので、開閉扉が作動および非作動時に関わりなく、入賞手段の前面を流下する遊技球が挙動付与手段に衝突して挙動が付与される。つまり、挙動付与手段に遊技球が衝突する角度に応じて、遊技球の進路が変更される。また、入賞手段の前面での遊技球の挙動を見る遊技者は、その挙動を見て面白みを感じることができる。
【０００９】
なお、本明細書は、次のような遊技機に係る発明も開示している。
【００１０】
（１）  請求項１に記載の遊技機において、
前記挙動付与手段は、棒状部材であり、前記入賞手段の開口上部の周縁に取り付けた
ことを特徴とする遊技機。
【００１１】
前記（１）に記載の発明によれば、棒状部材を入賞手段の開口上部の周縁に取り付けることが好ましい。この構成によれば、入賞手段の前面に流下してくる遊技球が棒状部材に衝突することで、反射して進路が変更される。つまり、入賞手段の周辺で遊技球に挙動が付与される。すなわち、この構成によれば、入賞手段の周辺で遊技球に挙動を付与させて、この挙動を見る遊技者に面白みを与えることができる。
【００１２】
（２）  前記（１）に記載の遊技機において、
前記棒状部材は、前記開口上部の遊技盤面に対して直交状態に取り付けた
ことを特徴とする遊技機。
【００１３】
前記（２）に記載の発明によれば、棒状部材を開口上部の遊技盤面に対して直交状態に取り付けることが好ましい。この構成によれば、入賞手段に備わった開閉扉と棒状部材とを完全に分離されており、開閉扉の開閉軌道上に棒状部材が位置しない。つまり、棒状部材は開閉扉の開閉作動を許容し、妨げることがない。したがって、開閉扉の作動および非作動に関わりなく、流下している遊技球に挙動を付与することができる。すなわち、請求項１および前記（１）の遊技機を好適に実現することができる。
【００１４】
（３）  前記（１）に記載の遊技機において、
前記棒状部材は、前記開閉扉の先端の開閉軌道の外側に沿って、前記開口周縁から下に向けて屈曲させて取り付けた
ことを特徴とする遊技機。
【００１５】
前記（３）に記載の発明によれば、棒状部材は、開閉扉の先端の開閉軌道の外側に沿って、棒状部材を開口周縁から下に向けて屈曲させて取り付けることが好ましい。この構成によれば、屈曲した棒状部材によって開閉扉の開閉作動が妨げられることがない。また、屈曲した棒状部材によって開閉扉が囲われる。つまり、開閉扉の非作動時には、入賞手段の前面を流下する遊技球は棒状部材に衝突し、種々の方向に進路が変更される。また、開閉扉の作動時には、入賞手段の前面に流下してくる遊技球は棒状部材に衝突し、弾かれて入賞手段側から他の遊技領域に向かうように進路を変更されたり、棒状部材に衝突して積極的に開口内部に進路が変更されたりする。特に、開口内部に進路変更される遊技球は、その反射角度に応じて、開口内壁での反射角度が変化し、開口内部においても挙動が付与される。したがって、遊技者に挙動のバリエーションを多く見せることができ、遊技に対する面白みを維持し続けさせるたり、向上させたりすることができる。
【００１６】
また、屈曲した棒状部材は、開閉扉を囲っているので、ピアノ線などを遊技領域内に不正に侵入させて直接に開閉扉を操作することができない。したがって、入賞手段を強引に開放させるような不正行為の抑制にも有効に機能する。
【００１７】
（４）  前記（１）に記載の遊技機において、
前記棒状部材は、前記開閉扉の先端の開閉軌道の内側に入り込むように、前記開口周縁から下に向けて屈曲させて取り付け、
前記開閉扉は、開閉作動するときに、前記棒状部材と交差する位置に当該棒状部材が通過する切り欠きが形成されている
ことを特徴とする遊技機。
【００１８】
前記（４）に記載の発明によれば、棒状部材は、開閉扉の先端の開閉軌道の内側に入り込むように、開口周縁から下に向けて屈曲させて取り付けられている。開閉扉は、開閉作動するときに、棒状部材と交差する位置に当該棒状部材が通過する切り欠きが形成されている。したがって、開閉扉の開閉動作が、棒状部材によって妨げられることがない。
【００１９】
また、開閉扉が棒状部材によって囲われているので、開閉扉の非作動時には、入賞手段の前面を流下する遊技球は棒状部材に衝突し、種々の方向に進路が変更される。また、開閉扉の作動時には、入賞手段の前面に流下してくる遊技球は棒状部材に衝突し、弾かれて入賞手段側から他の遊技領域に向かうように進路を変更されたり、棒状部材に衝突して積極的に開口内部に進路が変更されたりする。特に、開口内部に進路変更される遊技球は、その反射角度に応じて、開口内壁での反射角度が変化し、開口内部においても挙動が付与される。したがって、入賞手段の前面で遊技者に遊技球の挙動のバリエーションを多く見せることができ、遊技に対する面白みを維持し続けさせたり、向上させたりすることができる。
【００２０】
さらに、開閉扉は、棒状部材によって囲われているので、ピアノ線などを遊技領域内に不正に侵入させて直接に開閉扉を操作することができない。したがって、入賞手段を強引に開放するような不正行為の抑制にも有効に機能する。
【００２１】
（５）  前記（３）または前記（４）に記載の遊技機において、
前記棒状部材は、取り付け基端を軸に取り付けた角度を変更可能とする
ことを特徴とする遊技機。
【００２２】
前記（５）に記載の発明によれば、棒状部材は、取り付け基端を軸に取り付けた角度を変更可能にすることが好ましい。この構成によれば、棒状部材の取り付け角度を変更することで衝突する遊技球の反射角度を変更することができ、ひいては、遊技球に付与する挙動のバリエーションを増やすことができる。例えば、ネジ溝の切られたネジ穴または孔にネジ山の切られた棒状部材の基端側を螺入し、その回転角度を変更することで、棒状部材の取り付け角度を変更できるように構成することが挙げられえる。
【００２３】
（６）  前記（１）から（５）のいずれか一つに記載の遊技機において、
前記棒状部材は、前記開口の水平方向に沿って所定間隔をおいて整列配備されている
ことを特徴とする遊技機。
【００２４】
前記（６）に記載の発明によれば、棒状部材は、開口の水平方向に沿って所定間隔をおいて整列配備することが好ましい。この構成によれば、入賞手段の前面を流下する遊技球を棒状部材に確実に衝突させて、挙動を付与することができる。また、棒状部材が下向きに屈曲している場合は、開閉扉の広い範囲が棒状部材によって囲われるので、外部から開閉扉を操作しづらくできる。つまり、開閉扉を強引に開放するような不正行為の抑制にも有効に機能する。
【００２５】
（７）  請求項１に記載の遊技機において、
前記挙動付与手段は、棒状部材であり、
前記棒状部材の先端部分が前記入賞手段の開口面から突き出るように、当該開口の奥側に棒状部材を取り付ける取付部を備え、
前記開閉扉は、開閉動作するときに前記棒状部材の先端部分の通過する切り欠きが形成されている
ことを特徴とする遊技機。
【００２６】
前記（７）に記載の発明によれば、挙動付与部材は棒状部材であることが好ましい。取付部は、棒状部材の先端部分が入賞手段の開口面から突き出るように、当該開口の奥側に棒状部材を取り付ける。開閉扉は、開閉動作するときに棒状部材の先端部分の通過する切り欠きが形成されている。この構成によれば、開閉扉の開閉作動に関わりなく、入賞手段の前面を流下する遊技球が、開口から突き出た棒状部材に衝突する。したがって、入賞手段の前面で遊技者に遊技球の挙動のバリエーションを多く見せることができ、遊技に対する面白みを維持し続けさせたり、向上させたりすることができる。
【００２７】
（８）  前記（７）に記載の遊技機において、
前記棒状部材は、直線状のものである
ことを特徴とする遊技機。
【００２８】
前記（８）に記載の発明によれば、例えば、直線状のものであってもよい。この構成によれば、切り欠きを突き出た棒状部材は、開閉扉の開閉作動を妨げることない。また、棒状部材は、入賞手段の開口正面を通過する遊技球に挙動を付与することができる。すなわち、前記（７）に記載の遊技機を好適に実現することができる。
【００２９】
（９）  前記（７）に記載の遊技機において、
前記棒状部材は、先端が下を向くように屈曲している
ことを特徴とする遊技機。
【００３０】
前記（９）に記載の発明によれば、棒状部材は、先端が下を向くように屈曲していることが好ましい。この構成によれば、屈曲した棒状部材によって開閉扉の開閉作動が妨げられることがない。また、屈曲した棒状部材によって開閉扉が囲われる。つまり、開閉扉の非作動時には、入賞手段の前面を流下する遊技球は棒状部材に衝突し、遊技領域内で種々の方向に進路が変更される。また、開閉扉の作動時には、入賞手段の前面に流下してくる遊技球は棒状部材の屈曲面に衝突した場合、反射角度が予想しづらくなる。すなわち、遊技者に挙動のバリエーションを多く見せることができ、遊技に対する面白みを維持し続けさせたり、向上させたりすることができる。
【００３１】
また、開閉扉は、屈曲した棒状部材によって囲われているので、ピアノ線などを遊技領域に不正に侵入させて直接に開閉扉を操作することができない。したがって、入賞手段に対する不正行為の抑制にも有効に機能する。
【００３２】
（１０）  前記（７）から（９）のいずれか一つに記載の遊技機において、
前記棒状部材は、前記開口の水平方向に沿って所定間隔をおいて整列配備されている
ことを特徴とする遊技機。
【００３３】
前記（１０）に記載の発明によれば、開口の水平方向に沿って所定間隔をおいて棒状部材を整列配備することが好ましい。この構成によれば、入賞手段の前面を流下する遊技球を棒状部材に確実に衝突させることができる。また、外部から遊技領域内にピアノ線などを不正に侵入させて直接に開閉扉を操作するような不正行為の抑制にも有効に機能する。
【００３４】
（１１）  前記（７）から（９）のいずれか一つに記載の遊技機において、
前記棒状部材は、前記開口の水平方向および上下方向に所定間隔をおいてに複数本が配備されている
ことを特徴とする遊技機。
【００３５】
前記（１１）に記載の発明によれば、開口の水平方向および上下方向に所定間隔をおいてに複数本が配備されていることが好ましい。この構成によれば、開口前面を流下する遊遊技球の進路を複雑な状態にすることができ、種々の方向への挙動を遊技球に付与することができる。また、外部から遊技領域内にピアノ線などを不正に侵入させて直接に開閉扉を操作するような不正行為の抑制にも有効に機能する。
【００３６】
（１２）  請求項１に記載の遊技機、または、前記（７）から（９）のいずれか一つに記載の遊技機において、
前記棒状部材は、前記開口の水平方向に沿って所定間隔をおいて段違いに配備されている
ことを特徴とする遊技機。
【００３７】
前記（１２）に記載の発明によれば、開口の水平方向に沿って所定間隔をおいて段違いに棒状部材を配備することが好ましい。この構成によれば、例えば、垂直高さ方向の低い位置に配備された棒状部材に衝突した遊技球が、斜め上方向に反射した場合、近隣の高い位置の棒状部材に衝突する場合がある。このような場合、遊技球の反射回数が増える分、挙動が増して面白みが向上する。また、外部から遊技領域内にピアノ線などを不正に侵入させて直接に開閉扉を操作するような不正行為の抑制にも有効に機能する。
【００３８】
（１３）  請求項１に記載の遊技機において、
さらに、前記入賞手段の開口奥側に前記棒状部材を取り付ける取付部を備え、
前記開閉扉は、貫通孔が形成されており、
前記棒状部材は、前記開閉扉が開閉するときの開閉軌道の曲率と同じ曲率に曲げられ、その先端が下を向くように開閉扉を挿通して開口奥側の取付部に取り付けられた
ことを特徴とする遊技機。
【００３９】
前記（１３）に記載の発明によれば、取付部は、入賞手段の開口奥側に棒状部材を取り付ける。棒状部材は、開閉扉が開閉するときの開閉軌道の曲率と同じ曲率に曲げられ、その先端が下を向くように開閉扉を挿通して開口奥側の取付部に取り付けられる。この構成によれば、貫通孔に挿通した棒状部材に沿って開閉扉が開閉作動するので、その開閉作動が妨げられることがない。
【００４０】
また、開閉扉の開閉作動に関わりなく、入賞手段の前面を流下する遊技球が、開口から突き出た棒状部材に衝突する。したがって、入賞手段の前面で遊技者に遊技球の挙動のバリエーションを多く見せることができ、遊技に対する面白みを維持し続けさせたり、向上させたりすることができる。
【００４１】
さらに、開閉扉は、棒状部材によって囲われているので、ピアノ線などを遊技領域内に不正に侵入させて直接に開閉扉を操作することができない。したがって、入賞手段を強引に開放するような不正行為の抑制にも有効に機能する。
【００４２】
（１４）  前記（１３）に記載の遊技機において、
前記棒状部材は、前記開口の水平方向に沿って所定間隔をおいて整列配備された
ことを特徴とする遊技機。
【００４３】
前記（１３）に記載の発明によれば、開口の水平方向に沿って所定間隔をおいて棒状部材を整列配備することが好ましい。この構成によれば、入賞手段の前面を流下する遊技球を棒状部材に確実に衝突させることができる。開閉扉は、複数本の棒状部材によって囲われているので、ピアノ線などを遊技領域内に不正に侵入させて直接に開閉扉を操作することができない。したがって、入賞手段を強引に開放するような不正行為の抑制にも有効に機能する。
【００４４】
（１５）  前記（１３）に記載の遊技機において、
前記棒状部材は、前記開口の水平方向および上下方向に所定間隔をおいてに複数本が配備されている
ことを特徴とする遊技機。
【００４５】
前記（１５）に記載の発明によれば、開口前面を流下する遊遊技球の進路を複雑な状態にすることができ、種々の方向への挙動を遊技球に付与することができる。また、外部から遊技領域内にピアノ線などを不正に侵入させて直接に開閉扉を操作するような不正行為の抑制にも有効に機能する。
【００４６】
（１６）  前記（１３）に記載の遊技機において、
前記棒状部材は、前記開口の水平方向に沿って所定間隔をおいて段違いに配備された
ことを特徴とする遊技機。
【００４７】
前記（１６）に記載の発明によれば、開口の水平方向に沿って所定間隔をおいて段違いに棒状部材を配備することが好ましい。この構成によれば、垂直高さ方向の低い位置に配備された棒状部材に衝突した遊技球が、斜め上方向に反射した場合、近隣の高い位置の棒状部材に衝突する。したがって、遊技球の反射回数が増える分、挙動が増して面白みが向上する。また、外部から遊技領域内にピアノ線などを不正に侵入させて直接に開閉扉を操作するような不正行為の抑制にも有効に機能する。
【００４８】
（１７）  請求項１に記載の遊技機において、
前記入賞手段の前側に、少なくとも遊技球の通過できる距離を空けて取り付けた装飾部材と、
前記挙動付与手段は、棒状部材であり、前記入賞手段と対向する前記装飾部材の面に当該棒状部材を取り付け、
前記開閉扉は、開閉作動するときに、前記棒状部材の通過する切り欠きが形成されている
ことを特徴とする遊技機。
【００４９】
前記（１７）に記載の発明によれば、装飾部材は、入賞手段の前側に、少なくとも遊技球の通過できる距離を空けて取り付けられる。挙動付与手段は、棒状部材であり、入賞手段と対向する装飾部材の面に当該棒状部材を取り付けることが好ましい。また、開閉扉は、開閉作動するときに、前記棒状部材の通過する切り欠きが形成されている。
【００５０】
この構成によれば、開閉扉の開閉作動に関わりなく、入賞手段の前面を流下する遊技球が、装飾部材から入賞手段側に向かって取り付けられた棒状部材に衝突し、挙動が付与される。したがって、入賞手段の前面で遊技者に遊技球の挙動のバリエーションを多く見せることができ、遊技に対する面白みを維持し続けさせたり、向上させたりすることができる。
【００５１】
また、装飾部材と棒状部材によって、外部から遊技領域内にピアノ線などを不正に侵入させて直接に開閉扉を操作するような不正行為の抑制にも有効に機能する。
【００５２】
（１８）  前記（１７）に記載の遊技機において、
前記棒状部材は、直線状のものであり、前記装飾部材の取り付け面に直交するように取り付けた
ことを特徴とする遊技機。
【００５３】
前記（１８）に記載の発明によれば、棒状部材は、直線状のものであり、装飾部材の取り付け面に直交するように取り付けることが好ましい。この構成によれば、入賞手段に備わった開閉扉と棒状部材とを完全に分離されており、開閉扉が開閉作動するときに、棒状部材が開閉扉の切り欠き部分を通過することになる。つまり、棒状部材は開閉扉の開閉作動を許容し、妨げることがない。したがって、開閉扉の作動および非作動に関わりなく、流下している遊技球に挙動を付与することができる。すなわち、前記（１７）に記載の遊技機を好適に実現することができる。
【００５４】
（１９）  前記（１７）に記載の遊技機において、
前記棒状部材は、その先端が下を向くように屈曲しており、
前記開閉扉は、開閉作動するときに、前記棒状部材と交差する位置に切り欠きが形成されている
ことを特徴とする遊技機。
【００５５】
前記（１９）に記載の発明によれば、棒状部材は、その先端が下を向くように屈曲していることが好ましい。また、開閉扉は、開閉作動するときに、棒状部材と交差する位置に切り欠きが形成されていることが好ましい。この構成によれば、開閉扉が開閉作動している最中に、開閉扉に形成された切り欠き部分を棒状部材が通過するので、棒状部材によって開閉扉の開閉作動が妨げられることがない。その結果、棒状部材によって、開閉扉と開口が囲われる状態を実現でき、前記（１７）の遊技機を好適に実現することができる。
【００５６】
（２０）  前記（１７）から（１９）のいずれかに記載の遊技機において、
前記棒状部材は、前記開口の水平方向に沿って所定間隔をおいて整列配備された
ことを特徴とする遊技機。
【００５７】
前記（２０）に記載の発明によれば、開口の水平方向に沿って所定間隔をおいて棒状部材を整列配備することが好ましい。この構成によれば、入賞手段の前面を流下する遊技球を棒状部材に確実に衝突させることができる。また、外部から遊技領域内にピアノ線などを不正に侵入させて直接に開閉扉を操作するような不正行為の抑制にも有効に機能する。
【００５８】
（２１）  前記（１７）から（１９）のいずれかに記載の遊技機において、
前記棒状部材は、前記開口の水平方向および上下方向に所定間隔をおいてに複数本が配備されている
ことを特徴とする遊技機。
【００５９】
前記（２１）に記載の発明によれば、開口の水平方向および上下方向に所定間隔をおいてに複数本が配備されていることが好ましい。この構成によれば、開口前面を流下する遊遊技球の進路を複雑な状態にすることができ、種々の方向への挙動を遊技球に付与することができる。また、外部から遊技領域内にピアノ線などを不正に侵入させて直接に開閉扉を操作するような不正行為の抑制にも有効に機能する。
【００６０】
（２２）  前記（１７）から（１９）のいずれかに記載の遊技機において、
前記棒状部材は、前記開口の水平方向に沿って所定間隔をおいて段違いに配備された
ことを特徴とする遊技機。
【００６１】
前記（２２）に記載の発明によれば、開口の水平方向に沿って所定間隔をおいて段違いに棒状部材を配備することが好ましい。この構成によれば、垂直高さ方向の低い位置に配備された棒状部材に衝突した遊技球が、斜め上方向に反射した場合、近隣の高い位置の棒状部材に衝突する。したがって、遊技球の反射回数が増える分、挙動が増して面白みが向上する。また、外部から遊技領域内にピアノ線などを不正に侵入させて直接に開閉扉を操作するような不正行為の抑制にも有効に機能する。
【００６２】
（２３）  請求項１に記載の遊技機において、
前記挙動付与手段は、棒状部材であり、当該棒状部材は前記入賞手段の開口奥側から前記開閉扉の前方に突き出ており、
前記入賞手段の開閉扉は、開閉作動するときに前記棒状部材の通過する切り欠きが形成されており、
さらに、前記棒状部材が開閉扉から突き出た第１状態と、当該第１状態よりも前方に突き出た第２状態に棒状部材を移動させる移動手段を備えた
ことを特徴とする遊技機。
【００６３】
前記（２３）に記載の発明によれば、挙動付与手段は、棒状部材であることが好ましい。当該棒状部材は、入賞手段の開口奥側から開閉扉の前方に突き出ている。入賞手段の開閉扉は、開閉作動するときに棒状部材の通過する切り欠きが形成されている。また、移動手段は、棒状部材が開閉扉から突き出た第１状態と、当該第１状態よりも前方に突き出た第２状態に棒状部材を移動させる。この構成によれば、開閉扉の前面で棒状部材を前後に移動させることができ、この棒状部材の移動によって、棒状部材に衝突する遊技球に付与する挙動のバリエーションを増やすことができる。
【００６４】
また、開口内部に入り込んだ遊技球が、内部に位置する棒状部材に衝突し、開口内部でも挙動が付与される。
【００６５】
（２４）  前記（２３）に記載の遊技機において、
前記棒状部材は、前記縦壁の水平方向に沿って所定間隔をおいて整列配備された
ことを特徴とする遊技機。
【００６６】
前記（２４）に記載の発明によれば、縦壁の水平方向に沿って所定間隔をおいて棒状部材を整列配備することが好ましい。この構成によれば、入賞手段の前面を流下する遊技球を棒状部材に確実に衝突させることができる。また、外部から遊技領域内にピアノ線などを不正に侵入させて直接に開閉扉を操作するような不正行為の抑制にも有効に機能する。
【００６７】
（２５）  前記（２３）に記載の遊技機において、
前記棒状部材は、前記開口の水平方向および上下方向に所定間隔をおいてに複数本が配備されている
ことを特徴とする遊技機。
【００６８】
前記（２５）に記載の発明によれば、開口の水平方向および上下方向に所定間隔をおいてに複数本が配備されていることが好ましい。この構成によれば開口前面を流下する遊遊技球の進路を複雑な状態にすることができ、種々の方向への挙動を遊技球に付与することができる。また、外部から遊技領域内にピアノ線などを不正に侵入させて直接に開閉扉を操作するような不正行為の抑制にも有効に機能する。
【００６９】
（２６）  前記（２３）に記載の遊技機において、
前記棒状部材は、前記縦壁の水平方向に沿って所定間隔をおいて段違いに配備された
ことを特徴とする遊技機。
【００７０】
前記（２６）に記載の発明によれば、縦壁の水平方向に沿って所定間隔をおいて段違いに棒状部材を配備することが好ましい。この構成によれば、垂直高さ方向の低い位置に配備された棒状部材に衝突した遊技球が、斜め上方向に反射した場合、近隣の高い位置の棒状部材に衝突する。したがって、遊技球の反射回数が増える分、挙動が増して面白みが向上する。また、開口前面を流下する遊遊技球の進路を複雑な状態にすることができ、種々の方向への挙動を遊技球に付与することができる。また、外部から遊技領域内にピアノ線などを不正に侵入させて直接に開閉扉を操作するような不正行為の抑制にも有効に機能する。
【００７１】
（２７）  請求項１に記載の遊技機、または、前記（１）から（２６）のいずれか一つに記載の遊技機において、
前記遊技機はパチンコ機であることを特徴とする遊技機。
【００７２】
前記（２７）に記載の遊技機によれば、入賞手段の前面を流下する遊技球に挙動を付与し、面白みを向上させることができるとともに、入賞手段に備わった開閉扉の開閉作動の精度向上および開閉扉に対する不正操作を抑制することのできるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【発明の効果】
【００７３】
この発明に係る遊技機によれば、挙動付与手段は、開閉扉の開閉作動を許容する。換言すれば妨げることなく分離されているので、開閉扉が作動および非作動時に関わりなく、入賞手段の前面を流下する遊技球が挙動付与手段に衝突して挙動が付与される。つまり、挙動付与手段に遊技球が衝突する角度に応じて、遊技球の進路が変更される。また、挙動付与手段にピアノ線などを引っ掛けて操作しても、開閉扉は開放しない。すなわち、挙動付与手段を操作しても遊技球を入賞手段に不正に入賞させることができないので、不正行為を抑制するのに有効となる。
【発明を実施するための最良の形態】
【００７４】
以下、パチンコ遊技機（以下、単に「パチンコ機」という）の各種の実施の形態を、図面に基づいて詳細に説明する。
【実施例１】
【００７５】
以下、パチンコ遊技機（以下、単に「パチンコ機」という）の各種の実施の形態を、図面に基づいて詳細に説明する。
【実施例２】
【００７６】
実施例１のパチンコ機を、図面に基づいて詳細に説明する。図１はパチンコ機１０の正面図であり、図２は、パチンコ機１０の遊技盤３０の正面図であり、図３は、遊技盤３０の斜視図であり、図４は、パチンコ機１０の背面図である。
【００７７】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００７８】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００７９】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００８０】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置（図示省略）などで構成されている。音出力口２４は、下皿ユニット１３内あるいは背面に設けられたスピーカからの音を出力するための出力口である。
【００８１】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００８２】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００８３】
また、前面枠セット１４は、図１に示すように、上皿１９の左下側の箇所に、遊技者による操作指示（例えば、押下指示）を受ける枠ボタン２０（演出ボタン）を備えている。図６に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００８４】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００８５】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００８６】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００８７】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第２の始動口３３ｂにも作動口スイッチ（通過検出スイッチ）が設けられ、この第２の始動口３３ｂへの入球をその作動口スイッチにより検出されるようになっている。すなわち、遊技球の第１の始動口３３ａへの入球または遊技球の第２の始動口３３ｂへの入球のどちらの場合にも、それが始動入賞であることに変わりは無い。
【００８８】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００８９】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００９０】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００９１】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００９２】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００９３】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００９４】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００９５】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００９６】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００９７】
また、遊技盤３０には、図２に示すように、遊技球発射装置３８（図４参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００９８】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００９９】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【０１００】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【０１０１】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【０１０２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【０１０３】
従って、本実施の形態では、遊技領域３０ａの幅（左右方向の最大幅）は、４１８ｍｍであり、遊技領域３０ａの高さ（上下方向の最大幅）は、４４５ｍｍである。
【０１０４】
なお、詳しい図面の開示は省略するが、遊技球発射装置３８には、前面枠セット１４側の球出口（上皿１９の最下流部より通じる球出口）から遊技球が１つずつ供給される。
【０１０５】
次に、パチンコ機１０の背面の構成について説明する。図４に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図６に示した主制御装置２６１とサブ制御装置２６２とを一方の取付台に搭載してユニット化すると共に、後述する図４に示した払出制御装置３１１、発射制御装置３１２及び電源装置３１３を他方の取付台に搭載してユニット化している。ここでは便宜上、前者のユニットを「第１制御基板ユニット２０１」と称し、後者のユニットを「第２制御基板ユニット２０２」と称することとする。
【０１０６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１０７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【０１０８】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【０１０９】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図６参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【０１１０】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【０１１１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【０１１２】
第１制御基板ユニット２０１は略Ｌ字状をなす取付台（図示省略）を有し、この取付台に主制御装置２６１とサブ制御装置２６２とが搭載されている。ここで、主制御装置２６１は、図６に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは封印ユニット（封印手段）によって開封不能に連結され、これにより基板ボックス２６３が封印されている。
【０１１３】
封印手段としての封印ユニットはボックスベースとボックスカバーとを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【０１１４】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【０１１５】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図６参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１１６】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベースとボックスカバーとが封印ユニット（封印手段）によって開封不能に連結され、これにより基板ボックスが封印されている。
【０１１７】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図６参照）がゆっくり正回転され、球詰まりの解消（正常状態への復帰）が図られるようになっている。
【０１１８】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１１９】
次に、裏パックユニット２０３の構成を説明する。裏パックユニット２０３は、図４に示すように、樹脂成形された裏パック３５１と遊技球の払出機構部３５２とを一体化したものである。
【０１２０】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１２１】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１２２】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１２３】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１２４】
なお、図４に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１２５】
次に、本発明のパチンコ機１０のさらなる特徴部分の構成について図７から図９を用いて説明する。図７は、本実施例のパチンコ機に係る可変入賞装置の分解斜視図である。図８および図９は、可変入賞装置の動作を説明する図である。
【０１２６】
可変入賞装置３２は、図７に示すように、遊技盤の前面から順番に開閉扉４００、ベースフレーム４０１、ソレノイド４０２、ガイドフレーム４０３、検出スイッチ４０４、および終端フレーム４０５から構成されている。なお、可変入賞装置３２は、本発明の入賞手段に相当する。以下、各構成について具体的に説明する。
【０１２７】
開閉扉４００は、ベースフレーム４０１に形成された横長矩形状の開口である大入賞口４０６を閉塞または開放する当該開口と略同形状の板材であり、その左右両端に突き出た第１凸部４０７がベースフレーム４０１により軸支されるよになっている。また、図中右の第1凸部４０７の上部には、第２凸部４０８が設けられている。当該第２凸部４０８には、後述するソレノイド４０２の可動爪４０９の押圧力が伝達されるようになっている。また、開閉扉４００の図中上端辺側から下方に向けて３個の細長い切り欠き４１０が水平向に等間隔に形成されている。中央の切り欠きは、その長さが両端の２個の切り欠き長さよりも長くされている。これら切り欠き４１０同士のピッチは、遊技球の直径よりも大きく設定されている。
【０１２８】
ベースフレーム４０１は、左右両端に装飾用の前面プレート４１１を備え、その略中央に開口である大入賞口４０６が形成されている。大入賞口４０６の上部内壁には、下方に向けて３本の角柱４１２が設けられている。その先端部分には釘孔が形成されており、開閉扉４００に形成された切り欠き４１０の前面側から通した釘４１３が植設固定される。なお、角柱同士のピッチは、遊技球が通過できる程度であり、開閉扉４００に形成された切り欠き４１０と同じである。なお、角柱４１２は、本発明の取付部に相当し、釘４１３は、本発明の挙動付与手段に相当する。
【０１２９】
植設される釘４１３は、開閉扉４００が開放したときのその先端の円弧軌道と同じ曲率に合わせて屈曲された釘であって、その先端が下方に向くよう角柱４１２に植設される。つまり、開閉扉４００の開放を妨げることなくベースフレーム側に取り付けられることになる。なお、釘４１３は、長さの異なる角柱４１２の先端部分に植設されるので、段違いに配備した状態となる。釘４１３の段差は、任意に設定される。
【０１３０】
ベースフレーム４０１の大入賞口４０６の内壁底面には、開閉扉４００が開放したときに入球する遊技球を奥側に誘導するための第１ステージ４１４が形成されている。
【０１３１】
ソレノイド４０２は、キープ型のソレノイドであって、電源のオン・オフ切換によって可動鉄芯４１５が進退し、当該可動鉄芯４１５の先端に取り付けた円盤状の可動片４１６が係止している可動爪４０９を上下に揺動駆動させる。電源オフ状態のときは、可動鉄芯４１５を突き出した状態で可動爪４０９によって第２凸部４０８に押圧力を加えた状態にある。つまり、ソレノイド４０２は、電源オフ時に開閉扉４００が大入賞口４０６を閉塞するように付勢している。また、電源オン状態のときには、可動鉄芯４１５を引き込み、この動作に連動して可動片４１６が可動爪４０９を引き込み開閉扉４００の第２凸部４０８の押圧力を解除する。したがって、開閉扉４００は、開放作動する。
【０１３２】
ガイドフレーム４０３は、ベーフレーム４０１と連結し、当該ベーフレーム４０１の第１ステージ４１４上を転動する遊技球を奥側の検出スイッチ４０４に誘導するための第２ステージ４１８が設けられている。
【０１３３】
終端フレーム４０５は、ガイドフレーム４０３と連結して大入賞口４０６の内部を封止する略箱形状をしている。ただし、終端フレーム４０５の図中右側底部には大入賞口４０６に入球した遊技球を排出するための切り欠き４１９が形成されており、当該終端フレーム４０５の左端部から当該切り欠き４１９に向けて右下がり傾斜を有する底部を有している。
【０１３４】
切り欠き４１９の直下には遊技球の通過を検出する検出スイッチ４０４が配備されており、大入賞口４０６に入球した遊技球の数をカウントするようになっている。
【０１３５】
次に、上述の可変入賞装置３２の動作について、図８および図９に基づいて説明する。
【０１３６】
大当たりでなく通常状態であってソレノイド４０２の非作動状態では、図８に示すように、開閉扉４００は大入賞口４０６を閉塞したままの状態にある。しかしながら、屈曲した釘４１３が開閉扉４００を上方から下方に向けて大入賞口４０６を囲うように突き出ているので、大入賞口４０６の前面に向けて流下してくる遊技球は、釘４１３に衝突して反射して流下する軌道に変化が与えられる。つまり、大入賞口４０６の前面を流下してくる遊技球に挙動が付与される。
【０１３７】
また、始動口に遊技球が入球して所定条件が成立して大当たり状態となってソレノイド４０２が作動すると可動鉄芯４１５が引き込まれ、先端の可動片４１６が可動爪４０９に加えている押圧力を解除する。第２凸部４０８への押圧力が解除された開閉扉４００は、図９に示すように、開放状態となる。なお、この開放状態は、所定時間、または所定数の遊技球が大入賞口４０６に入球するまでの間、開放作動を繰り返す。以上で可変入賞装置３２の一連の動作が終了する。
【０１３８】
上述の構成によれば、大入賞口４０６の前面に向けて流下してくる遊技球が釘４１３に衝突して進路が変更される。つまり、遊技球に挙動が付与される。この挙動としては、大入賞口４０６の前面から外れる方向に反射されたり、大入賞口４０６の内部に向かって反射されたり、種々の方向への挙動が付与される。なお、開閉扉４００の開閉作動時に、釘４１３は、開閉扉４００に形成された切り欠き４１０の間に常に位置しているので、開閉扉４００の開閉作動を妨げることがない。したがって、これら大入賞口４０６の前面での遊技球の挙動バリエーションを数多く見る遊技者は、面白みを維持し続けたり、または面白みが向上させられたりする。
【０１３９】
また、パチンコ機１０の前面の隙間、または不正加工して形成した隙間などからピアノ線などを挿入し、強制的に開閉扉４００を開放するような不正行為を行なおうとしても、通常状態で大入賞口４０６を閉塞している開閉扉４００は、屈曲した釘４１３によって囲われているので、不正開放を抑制することができる。
【０１４０】
また、大入賞口４０６の前面の空間を有効に利用することができるとともに、当該空間に釘４１３を位置させることができるので、上述の実施例のように遊技盤３０の下部に大入賞口４０６を位置させる以外に、遊技盤３０の遊技領域内であれば大入賞口４０６を任意に位置させることもできる。
【実施例３】
【０１４１】
本実施例では、上記実施例１とは釘４１３の取り付け状態が異なり、他の構成部分については同じであるので、同じ構成部分には同一符号を付すに留め、異なる構成部分について具体的に説明する。
【０１４２】
図１０は、実施例２に係るパチンコ機の可変入賞装置の前方向からの分解斜視図である。図１１は、実施例２に係るパチンコ機の可変入賞装置の後方向からの分解斜視図である。
【０１４３】
図１０および図１１に示すように、可変入賞口装置３２は、開閉扉４００、ベースフレーム４０１、ソレノイド４０２、ガイドフレーム４０３Ａ、検出スイッチ４０４、終端フレーム４０５、および釘進退駆動機構４２０から構成されている。なお、釘進退駆動機構４２０は、本発明の移動手段に相当する。なお、釘進退駆動機構４２０は、本発明の移動手段に相当する。以下、各構成について具体的に説明する。
【０１４４】
ガイドフレーム４０３Ａは、ベーフレーム４０１と連結し、当該ベーフレーム４０１の第１ステージ４１４上を転動する遊技球を奥側の検出スイッチ４０４に誘導するための第２ステージ４１８Ａが設けられている。当該第２ステージ４１８Ａは、第１ステージ４１４の転動面よりも低い位置にある。また、フレーム上部には、開閉扉４００に形成された切り欠き４１０を通して後述する可動板４２２に釘４１３Ａを導くための貫通孔４２１が形成されている。この貫通孔４２１は、その中央の貫通孔４２１が左右の貫通孔４２１よりも低い位置に形成されている。したがって、ストレート状の釘４１３Ａが段違いに可動板４２２に植設されるようになっている。
【０１４５】
釘進退駆動機構４２１は、さらに大きく分けて、可動板４２２、駆動部４２３、およびガイドボックス４２４から構成されている。
【０１４６】
可動版４２２は、アルファベットの「Ｌ」字形状をしており、その起立面に釘４１３Ａを植設して固定するための３個の釘孔４２５が形成されている。また、図１０中右側底面部分には、水平幅方向に横長の貫通孔４２６が形成されている。この貫通孔４２６には、後述する駆動部４２３を構成する揺動部材４２９の凸部４３３が挿通される。
【０１４７】
駆動部４２３は、アルファベットの「Ｌ」字形状のフレーム４２７の底面４２７Ｂ上をキープ型ソレノイド４２８がスライド移動し、その後部にアルファベットの略「Ｔ」字形状の揺動部材４２９の短辺が当接するように構成されている。
【０１４８】
具体的には、フレーム４２７の起立部分４２７Ａは角筒状をしており、その内側面の上部からキープ型ソレノイド４２８の可動鉄芯４３０を挿通する切り欠きが形成されている。その切り欠きに挿入される可動鉄芯４３０の先端には可動片４３１が取り付けられており、この可動片が起立部分４２７Ｂの中空内に挟み込まれて固定されるようになっている。なお、可動片とキープ型ソレノイド本体との間にバネ４３２が取り付けられており、キープ型ソレノイド本体をフレーム４２７の図１０中の右側に向けてバネ付勢している。
【０１４９】
揺動部材４２９の短辺の一方にはキープ型ソレノイド４２８が当接し、他方には回転軸芯Ｐが挿通される。また、長辺の端部には上方に向けて突き出た凸部４３３が設けられている。
【０１５０】
ガイドボックス４２４は、図中上面左側に円弧状の切り欠き４３４が形成されている。当該切り欠き４３４には、揺動部材４２９の凸部４３３が挿通され、凸部４３３が突き出た状態となる。さらに、その凸部４３３に可動板４３１の貫通孔４２６の嵌合される。すなわち、切り欠き４３４は、揺動部材４２９の凸部４３３の設けられた先端が揺動するとにきのガイド溝として機能し、可動板４２２を前後移動させる。
【０１５１】
次に、上述の可変入賞装置３２の動作について、図１２および図１３に基づいて説明する。
【０１５２】
図１２に示すように、大当たりでななく通常状態であってソレノイド４０２の非作動状態では、開閉扉４００は大入賞口４０６を閉塞したままの状態にある。このとき、キープ型ソレノイド４２８は、可動鉄芯４３０が突き出た状態にあり、かつ、バネによるバネ付勢により、キープ型ソレノイド４２８の本体をフレーム４２７Ａの側方に押し出した待機位置にある。このとき、可動板４３１もガイドボックス４２４の上面奥側の待機位置にある。つまり、可動板４２２に植設された釘４１３Ａの先端は、開閉扉４００から少し突き出た第１状態Ｐ１にある。
【０１５３】
したがって、大入賞口４０６の前面を流下してくる遊技球Ｂは、ガラス１３７と開閉扉４００との間で、当該開閉扉４００から突き出た第１状態Ｐ１にある釘４１３Ａに衝突し、その進路が変更される。つまり、遊技球Ｂに挙動が付与される。
【０１５４】
また、始動口に遊技球Ｂが入球して所定条件が成立して大当たり状態になると、ソレノイド４０２とキープ型ソレノイド４２８とが同時に作動する。一方のソレノイド４０２は電源オン状態になると、その可動鉄芯４１５が引き込まれ、当該可動鉄芯４１５が先端の可動片４１６が可動爪４０９に加えている押圧力を解除する。第２凸部４０８への押圧力が解除された開閉扉４００は、所定時間または所定数の遊技球Ｂが大入賞口４０６に入球するまでの間、開閉作動を繰り返す。
【０１５５】
他方のキープ型ソレノイド４２８は、電源オン状態になると、その可動鉄芯４３０を突き出してバネ付勢に抗してキープ型ソレノイド本体を側方にスライド移動させる。このキープ型ソレノイド４２８のスライド移動に連動し、揺動部材４２９が軸心Ｐ周りに揺動する。つまり、揺動部材４２９の先端の凸部４３３がガイドボックス４２４の貫通孔４２６の円弧軌道に沿って揺動することにより、先端部の凸部４３３に嵌合されている可動板４３１がガイドボックス４２４の上面をスライド移動する。
【０１５６】
したがって、可動板４２２の起立部分４２７Ａに植設された釘４１３Ａは、図１３に示すように、通常の第１状態Ｐ１から、さらに前方に突き出た第２状態Ｐ２にまで移動する。その結果、大当たり状態となって大入賞口４０６が開放状態にあるときに、その前方に流下してくる遊技球Ｂは、ガラス１３７と開閉扉４００との間で、当該大入賞口４０６から突き出た釘４１３Ａに確実に衝突する。したがって、釘４１３Ａに衝突した遊技球Ｂは、大入賞口４０６から離れる方向に反射するのみならず、大入賞口４０６の内部に向かって反射される。この大入賞口４０６に反射して入球する遊技球Ｂは、反射力も効して大入賞口４０６の内部にある釘４１３Ａや内壁に、さらに衝突して挙動が付与される。以上で、可変入賞装置３２の一連の動作が終了する。
【０１５７】
上述の構成によれば、通常の遊技状態および大当たり状態のいずれであっても大入賞口４０６の前面に向けて流下してくる遊技球が釘４１３Ａに衝突して進路が変更される。つまり、遊技球に挙動が付与される。特に、大当たり状態のときには、大入賞口４０６から突き出る釘４１３Ａの長さが長くなるので、釘４１３Ａに遊技球を確実に衝突させることができる。したがって、これら大入賞口４０６の前面での遊技球の挙動バリエーションを数多く見る遊技者は、面白みを維持し続けたり、または面白みが向上させられたりする。
【０１５８】
また、大入賞口４０６の奥側から突き出ている釘４１３Ａが大入賞口４０６の内部で前後に進退するので、大入賞口４０６に入球した遊技球が釘４１３Ａに挟み込まれて球詰まりを起こすことがない。
【０１５９】
また、パチンコ機１０の前面の隙間、または不正加工して形成した隙間などからピアノ線などを遊技領域に侵入させて強制的に開閉扉４００を開放するような不正行為を行なおうとしても、通常状態で大入賞口４０６を閉塞している開閉扉４００の前方には突き出た釘４１３Ａが存在するので、これら複数本の釘４１３Ａが邪魔をして開閉扉４００への不正操作をしづらくすることができる。すなわち、開閉扉４００を直接に不正開放させるのを抑制することができる。
【０１６０】
また、大入賞口４０６の前面の空間を有効に利用することができるとともに、当該空間に釘４１３Ａを位置させることができるので、上述の実施例のように遊技盤３０の下部に大入賞口４０６を位置させる以外に、遊技盤３０の遊技領域内であれば大入賞口４０６を任意に位置させることもできる。
【実施例４】
【０１６１】
本実施例では、上記実施例１とは釘４１３の取り付け状態が異なり、他の構成部分については同じであるので、同じ構成部分には同一符号を付すに留め、異なる構成部分について具体的に説明する。
【０１６２】
図１４は、実施例３に係るパチンコ機の可変入賞装置の正面図である。図１５は、実施例３に係るパチンコ機の可変入賞装置の平面図である。
【０１６３】
図１４および図１５に示すように、可変入賞口装置３２は、その前面に立設された支柱４３６を介して装飾プレート４３５が離間配備されている。装飾プレート４３５の中央部分４３７は、透過性を有したアクリルやポリカーボネイトなどの板材で構成されており、背面側に位置する大入賞口４０６の開放状態が視認できるようになっている。なお、支柱４３６は、大入賞口４０６の前面を遊技球が通過できる程度に装飾プレート４３５を大入賞口４０６から離間させる距離に設定されており、図示しないが、装飾プレート４３５の裏面からネジが螺入されるようになっている。
【０１６４】
また、当該中央部分の裏面には、大入賞口４０６に向けて３本のストレートの釘４１３Ｂが所定ピッチで段違いに植設されている。
【０１６５】
装飾プレート４３４に植設された釘４１３Ｂと対向する開閉扉４００の部分には、図１６および図１７に示すように、開閉扉４００が開放作動するときに、釘４１３Ｂが通り抜ける切り欠き４１０が形成されている。
【０１６６】
上述の構成によれば、通常の遊技状態および大当たり状態のいずれであっても大入賞口４０６の前面に向けて流下してくる遊技球が釘４１３Ｂに衝突して進路が変更される。つまり、遊技球に挙動が付与される。したがって、これら大入賞口４０６の前面での遊技球の挙動バリエーションを数多く見る遊技者は、面白みを維持し続けたり、または面白みが向上させられたりする。
【０１６７】
また、パチンコ機１０の前面の隙間、または不正加工して形成した隙間などからピアノ線など遊技領域に侵入させて強制的に開閉扉４００を開放するような不正行為を行なおうとしても、大入賞口４０６の前面に配備した装飾プレート４３５によって、ピアノ線などによる直接の不正操作を抑制することができる。また、装飾プレート４３５から大入賞口４０６に向けて突き出た釘４１３Ｂによっても、直接の不正操作を、さらに抑制することができる。
【０１６８】
また、大入賞口４０６の前面の空間を有効に利用することができるとともに、当該空間に釘４１３Ｂを位置させることができるので、上述の実施例のように遊技盤３０の下部に大入賞口４０６を位置させる以外に、遊技盤３０の遊技領域内であれば大入賞口４０６を任意に位置させることもできる。
【０１６９】
この発明は、上記実施形態に限られることはなく、下記のように変形実施することができる。
【０１７０】
（１）上述した実施例１では、屈曲した釘４１３を大入賞口４０６の上部内壁から下方に向けて設けられた角柱４１２に植設していたが、ベースフレーム４０１の前面のプレートに上部に釘４１３を植設してもよい。この場合、次のような形態にすることができる。
【０１７１】
例えば、図１８および図１９に示すように、ベースフレーム４０１の前面プレートの上部から屈曲した釘４１３を植設し、その先端が大入賞口４０６の開口上部の手前に位置するように構成してもよい。
【０１７２】
また、前面プレートに植設した屈曲釘４１３の先端が大入賞口４０６の前面領域に位置するように構成してもよい。この場合、開閉扉４００が開放作動するときに、釘４１３が邪魔することのないように、開閉扉４００の上辺から下方に向けて切り欠きを形成し、当該切り欠きを釘が通過するように構成していもよいし、開閉扉４００が開放するときの先端の円弧軌道の外側を沿うように屈曲させた所定長さの釘を、ベースフレーム４０１の前面プレートに植設するように構成してもよい。つまり、開閉扉４００の先端の開放軌道である曲率半径と、釘の曲率半径を同じに設定すればよい。
【０１７３】
これら変形例の構成によれば、上記実施例１と同様の効果を奏する。
【０１７４】
（２）上述した実施例１では、屈曲した釘４１３が開閉扉４００の開放を妨げないように、開閉扉４００側に切り欠き４１０を形成していたが、切り欠き４１０に代わって貫通孔を形成してもよい。この場合、貫通孔に挿通する釘４１３は、開閉扉４００の開放作動するときの円弧軌道と同じ曲率半径となるように屈曲された釘を利用すればよい。
【０１７５】
この構成によれば、切り欠きのようにピアノ線を引っ掛けやすい部分をなくすことができるので、開閉扉４００に対して直接に不正行為をするのを抑制するのに、より有効となる。
【０１７６】
（３）上述した実施例１では、屈曲した釘４１３を利用したが、ストレートの釘を利用してもよい。また、実施例３では、ストレートの釘４１３Ｂを利用したが、屈曲した釘を利用してもよい。これらの構成においても、実施例１および実施例２と同様の効果を奏する。
【０１７７】
（４）上述した各実施例では、複数本の釘を大入賞口４０６の水平幅方向に所定ピッチをおいて段違いに植設していたが、水平方向に整列配備してもよいし、右下がりまたは右上がりなど、種々のパターンに配備してもよい。
【０１７８】
（５）上述した実施例１では、釘４１３を角柱４１２に螺入する際に、その螺入時のトルク調整や、螺入角度の調整を任意に行なってもよい。この場合、釘に衝突する遊技球の反射強度や反射角度を調節することができる。
【０１７９】
（６）上述した各実施例では、大入賞口４０６の前面を流下する遊技球に挙動を付与するように構成していたが、大入賞口４０６に限らず、一般入賞口３１などにも同様の構成を適用することもできる。また、大入賞口４０６および一般入賞口３１などに上述の構成を利用する場合、使用する釘は複数本に限らず、一本であってもよい。
【０１８０】
（７）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。
【産業上の利用可能性】
【０１８１】
以上のように、この発明は、パチンコ機やスロットマシン等の遊技機に適している。
【図面の簡単な説明】
【０１８２】
【図１】本発明の実施例１および実施例２に係るのパチンコ機の概略正面図である。
【図２】本発明の実施例１に係るのパチンコ機の遊技盤の正面図である。
【図３】本発明の実施例１に係るのパチンコ機の遊技盤の斜視図である。
【図４】本発明の各実施例に係るのパチンコ機の概略背面図である。
【図５】第１図柄表示装置の表示内容を示す説明図である。
【図６】パチンコ機の電気的構成を示すブロック図である。
【図７】実施例１に係るパチンコ機の可変入賞装置の分解斜視図である。
【図８】実施例１の可変入賞装置の動作を説明する図である。
【図９】実施例１の可変入賞装置の動作を説明する図である。
【図１０】実施例２に係るパチンコ機の可変入賞装置の前方向からの分解斜視図である。
【図１１】実施例２に係るパチンコ機の可変入賞装置の後方向からの分解斜視図である。
【図１２】実施例２の可変入賞装置の動作を説明する図である。
【図１３】実施例２の可変入賞装置の動作を説明する図である。
【図１４】実施例３に係るパチンコ機の可変入賞装置の正面図である。
【図１５】実施例３に係るパチンコ機の可変入賞装置の平面図である。
【図１６】実施例３の可変入賞装置の動作を説明する図である。
【図１７】実施例３の可変入賞装置の動作を説明する図である。
【図１８】変形例に係るパチンコ機の可変入賞装置の正面図である。
【図１９】変形例に係るパチンコ機の可変入賞装置の斜視図である。
【符号の説明】
【０１８３】
３０  …  遊技盤
３２  …  可変入賞装置
４００  …  開閉扉
４０６  …  大入賞口
４０１  …  ベースフレーム
４０２  …  ソレノイド
４０３  …  ガイドフレーム
４０５  …  終端フレーム
４１０  …  切り欠き
４１３  …  釘
【図１】
2006314592.tif 000003
【図２】
2006314592.tif 000004
【図３】
2006314592.tif 000005
【図４】
2006314592.tif 000006
【図５】
2006314592.tif 000007
【図６】
2006314592.tif 000008
【図７】
2006314592.tif 000009
【図８】
2006314592.tif 000010
【図９】
2006314592.tif 000011
【図１０】
2006314592.tif 000012
【図１１】
2006314592.tif 000013
【図１２】
2006314592.tif 000014
【図１３】
2006314592.tif 000015
【図１４】
2006314592.tif 000016
【図１５】
2006314592.tif 000017
【図１６】
2006314592.tif 000018
【図１７】
2006314592.tif 000019
【図１８】
2006314592.tif 000020
【図１９】
2006314592.tif 000021